(57)【要約】  患者環境の環境パラメータを制御する方法が提供される。この方法は、パルスオキシメータにおける少なくとも１つの生理学的センサを使用して生理学的センサデータを取得するステップと、少なくとも１つの環境センサを介して少なくとも１つの環境パラメータに対応する環境センサデータを取得するステップと、取得された環境センサデータが少なくとも１つの警告基準を満たすかどうかを環境コントローラにより決定するステップと、取得された少なくとも１つの環境センサデータが少なくとも１つの警告基準を満たす場合、少なくとも１つの環境パラメータの影響を補正するため、生理学的センサデータをパルスオキシメータにより調整するステップと、環境コントローラが上記少なくとも１つの環境パラメータを調整することができるかどうかを決定するステップと、上記環境コントローラが上記少なくとも１つの環境パラメータを調整することができる場合、上記少なくとも１つの環境パラメータを調整するステップと、上記少なくとも生理学的センサデータと上記少なくとも１つの環境センサデータとを相関させて相関データを得るステップと、上記得られた相関データに基づき、上記少なくとも１つの警告基準を更新するステップとを有する。
2018538038.tif 000002
【特許請求の範囲】
【請求項１】
患者環境の環境パラメータを制御する方法において、
パルスオキシメータにおける少なくとも１つの生理学的センサを使用して生理学的センサデータを監視するステップと、
少なくとも１つの環境センサを介して少なくとも１つの環境パラメータに対応する環境センサデータを監視するステップと、
前記監視された環境センサデータが少なくとも１つの警告基準を満たすことを環境コントローラにより識別するステップと、
前記環境センサデータが前記少なくとも１つの警告基準を満たすことに基づき、前記少なくとも１つの環境パラメータの影響を補正するため、前記パルスオキシメータにより前記生理学的センサデータを調整するステップと、
環境コントローラが前記少なくとも１つの環境パラメータを調整することができるかどうかを決定するステップと、
前記環境コントローラが前記少なくとも１つの環境パラメータを調整することができる場合、前記少なくとも１つの環境パラメータを調整するステップと、
前記生理学的センサデータと前記環境センサデータとを相関させて相関データを得るステップと、
前記得られた相関データに基づき、前記少なくとも１つの警告基準を更新するステップとを有する、方法。
【請求項２】
前記少なくとも１つの警告基準が、治療計画の順守及び不順守に基づかれる、請求項１に記載の方法。
【請求項３】
前記得られた相関データに基づき、患者の状況を決定するステップを更に有する、請求項１に記載の方法。
【請求項４】
前記生理学的センサデータと前記環境センサデータとを相関させるステップが、単回帰を実行するステップを有する、請求項１に記載の方法。
【請求項５】
前記相関データが、Ｒ二乗数、ピアソン相関係数、順位相関係数、又は２つ以上のデータセットが相関されるレベルを示すスコアの少なくとも１つである、請求項１に記載の方法。
【請求項６】
前記警告基準が、少なくとも１つの生理学的センサ又は環境センサに関する１つ又は複数の条件を示す、請求項１に記載の方法。
【請求項７】
前記条件が、最小閾値又は最大閾値を含む、請求項６に記載の方法。
【請求項８】
患者の環境における環境パラメータを制御するシステムであって、
第１の通信モジュールと少なくとも１つの生理学的センサとを持つパルスオキシータと、
第２の通信モジュールと少なくとも１つの環境センサとを持つ環境コントローラであって、少なくとも１つの環境システムを制御する、環境コントローラと、
少なくとも１つの生理学的センサデータと少なくとも１つの環境センサデータとの間の少なくとも１つの相関データを取得するための第１のソフトウェアと、前記取得された少なくとも１つ相関データに基づき、少なくとも１つの生理学的センサデータを調整するための第２のソフトウェアとを含む少なくとも１つのメモリユニットであって、前記パルスオキシメータ及び前記環境コントローラの少なくとも１つに含まれる、少なくとも１つのメモリユニットとを有する、システム。
【請求項９】
前記少なくとも１つの警告基準が、治療計画の順守及び不順守に基づかれる、請求項８に記載のシステム。
【請求項１０】
前記得られた相関データに基づき、患者の状況を決定するため、メモリに格納される命令を実行するプロセッサを更に有する、請求項８に記載のシステム。
【請求項１１】
単回帰を実行することにより、前記生理学的センサデータと前記環境センサデータとを相関させるため、メモリに格納される命令を実行するプロセッサを更に有する、請求項８に記載のシステム。
【請求項１２】
前記相関データが、Ｒ二乗数、ピアソン相関係数、順位相関係数、又は２つ以上のデータセットが相関されるレベルを示すスコアの少なくとも１つである、請求項８に記載のシステム。
【請求項１３】
前記警告基準が、少なくとも１つの生理学的センサ又は環境センサに関する１つ又は複数の条件を示す、請求項８に記載のシステム。
【請求項１４】
前記条件が、最小閾値又は最大閾値を含む、請求項１３に記載のシステム。
【請求項１５】
患者環境の環境パラメータを制御する方法を実行するため、プロセッサにより実行可能なプログラムを含む非一時的なコンピュータ可読記憶媒体であって、前記方法が、
パルスオキシメータにおける少なくとも１つの生理学的センサを使用して生理学的センサデータを監視するステップと、
少なくとも１つの環境センサを介して少なくとも１つの環境パラメータに対応する環境センサデータを監視するステップと、
前記監視された環境センサデータが少なくとも１つの警告基準を満たすことを環境コントローラにより識別するステップと、
前記環境センサデータが前記少なくとも１つの警告基準を満たすことに基づき、前記少なくとも１つの環境パラメータの影響を補正するため、前記パルスオキシメータにより前記生理学的センサデータを調整するステップと、
環境コントローラが前記少なくとも１つの環境パラメータを調整することができるかどうかを決定するステップと、
前記環境コントローラが前記少なくとも１つの環境パラメータを調整することができる場合、前記少なくとも１つの環境パラメータを調整するステップと、
前記生理学的センサデータと前記環境センサデータとを相関させて相関データを得るステップと、
前記得られた相関データに基づき、前記少なくとも１つの警告基準を更新するステップとを有する、非一時的なコンピュータ可読記憶媒体。
【発明の詳細な説明】
【技術分野】
【０００１】
環境パラメータは、患者の生理学的パラメータ測定に影響を与えることが知られている。例えば、パルスオキシメトリでは、温度が血流に影響を与える可能性があり、これは、特定の身体部位でパルスオキシメータにより測定される血中酸素飽和度に影響する。これは、冷たい指でパルスオキシメトリ測定を実行すると、暖かい指で同じ測定を実行するのと比較して、異なる血中酸素飽和度値をもたらすことを意味する。
【背景技術】
【０００２】
環境パラメータにおける変化は、生理学的センサの動作に影響を及ぼし、不正確な結果をもたらすこともある。例えば、湿度及び温度は、生理学的センサの電子及び光学要素に影響を及ぼす可能性がある。他の生理学的パラメータの測定は、環境光、高度、気圧、周囲ノイズ、及び振動などの環境パラメータの影響を受けることも知られている。
【発明の概要】
【発明が解決しようとする課題】
【０００３】
環境パラメータに起因する、測定された生理学的パラメータにおける不正確さを補正し、生理学的パラメータに影響を及ぼす環境パラメータを制御する方法を提供する必要がある。これは、環境パラメータと生理学的パラメータとの間の関係を決定することにより行われることができる。更に、患者の健康に有害な特定のパラメータを検出するよう環境センサを構成することにより、斯かる方法は、治療プログラムを受けている患者に関する不順守、「不正行為」、又は望ましくない健康リスクの検出にも有用であり得る。
【０００４】
ＵＳ２００９／０１１２１１４号は、複数の生理学的センサ（例えば、パルスオキシメータ）と複数の環境センサとを含む環境関連の呼吸器疾患のモニタリングシステムを開示する。健康警告を生成し、環境制御システムにコマンドを送信するため、生理学的データ及び環境データは相関される。ＵＳ２００２／０１５６６５４号は、生理学的センサデータ及び環境センサデータを取得するための患者ケア管理システムを開示する。患者ケア管理システムは、生理学的センサデータと環境センサデータとを相関させ、喘息発作トリガを識別及び予測する。
【課題を解決するための手段】
【０００５】
本発明は、患者環境の環境パラメータを制御するシステム及び方法に関する。生理学的センサデータは、パルスオキシメータを用いて取得され、環境センサデータは、環境センサを用いて取得される。環境センサデータが警告基準を満たすとき、生理学的センサデータは、環境センサにより測定された環境パラメータの影響を補正するよう調整される。その後、環境コントローラは、環境パラメータの調整に進む。その後、警告基準は、環境センサデータと生理学的センサデータとを相関させることにより更新される。
【図面の簡単な説明】
【０００６】
【図１】本発明の好ましい実施形態のフローダイアグラムを示す図である。
【図２】本発明の好ましい実施形態のブロックダイアグラムを示す図である。
【図３】本発明の好ましい実施形態のフローダイアグラムを示す図である。
【図４】本発明の一実施形態のデータベースを示す図である。
【図５】本発明の好ましい実施形態のフローダイアグラムを示す図である。
【図６】本発明の一実施形態のデータベースを示す図である。
【図７】本発明の好ましい実施形態のフローダイアグラムを示す図である。
【図８】本発明の一実施形態のデータベースを示す図である。
【発明を実施するための形態】
【０００７】
本発明の更なる理解を提供するために含まれる添付の図面は、本発明の実施形態を示すため本書に組み込まれる。説明とともに、図面は、本発明の原理を説明する役割も果たす。
【０００８】
以下は、本発明の様々な実施形態で使用される用語の定義である。
【０００９】
本書で使用される「生理学的パラメータ」という用語は、生理学的機能を測定する１つ又は複数の変数を指す。本書で使用される「環境パラメータ」という用語は、環境の特定の特性を測定する１つ又は複数の変数を指す。本書で使用される「環境コントローラ」という用語は、とりわけ、温度、換気、空気状態、環境光、騒音レベル、及び湿度といった環境パラメータを制御することができるデバイスを指す。
【００１０】
用語「センサ」は、本書では、生理学的センサ、環境センサ、又はそれらの任意の組み合わせを集合的に指すために使用される。本書で使用される「センサデータ」という用語は、センサにより取得されるデータを指す。本書で使用される「生理学的センサデータ」という用語は、生理学的センサにより取得されるセンサデータを指す。本書で使用される「環境センサデータ」という用語は、環境センサにより取得されるデータをいう。
【００１１】
本書で使用される「データセット」という用語は、生理学的センサ、環境センサ、又はそれらの任意の組み合わせから得られるデータのセットを指す。
【００１２】
本書で使用される「相関する」という用語は、２つ以上のデータセット間の関係を決定することを指す。本書で使用される「相関データ」という用語は、２つ以上のデータセットを相関させることから得られる値を指す。相関データは、Ｒ二乗数、ピアソン相関係数、順位相関係数、又は２つ以上のデータセットがどれほど良好に相関しているかを示す任意の数であり得る。
【００１３】
本書で使用される「データベース」という用語は、データ及び情報が格納、検索、更新、及び操作されることを可能にする態様で、並びにテーブル形式などの１つ又は複数の形式で提示され、若しくはテキスト、数字、画像、及び音声データにグループ化されることを可能にする態様で組織化される、データ及び情報の集合を指す。本書で使用される用語「データベース」は、より大きなデータベースの一部を指すこともでき、この場合、ある種のデータベース内のデータベースを形成する。本書で使用される「データベース」は、ローカルに存在してもよく、又はリモートロケーション、例えばリモートネットワークサーバからアクセスされ得る従来のデータベースをも指す。データベースは典型的には、様々なタイプの揮発性及び不揮発性コンピュータメモリを含むコンピュータメモリに存在する。データベースが存在するメモリは、高速ランダムアクセスメモリ、又は磁気ディスク記憶装置、光記憶装置、及びフラッシュメモリなどの不揮発性メモリを含むことができる。データベースが存在するメモリは、データベースにより受信され、及びデータベースに格納されるデータを処理及び組織化するための１つ又は複数のソフトウェアも含むことができる。
【００１４】
本書で使用される「通信モジュール」という用語は、例えばコマンド、トリガ、通知、プロンプト、確認応答、情報、メッセージ、フォーム、及び様々なタイプのデータを送信及び受信するといった通信を可能にするデバイス又はデバイスの要素を指す。
【００１５】
本発明は、患者の環境の環境パラメータを制御する方法に関し、この方法は、パルスオキシメータにおける少なくとも１つの生理学的センサを使用して生理学的センサデータを取得するステップと、少なくとも１つの環境センサを介して少なくとも１つの環境パラメータに対応する環境センサデータを取得するステップと、取得された環境センサデータが少なくとも１つの警告基準を満たすかどうかを環境コントローラにより決定するステップと、取得された環境センサデータが少なくとも１つの警告基準を満たす場合、少なくとも１つの環境パラメータの影響を補正するため、生理学的センサデータをパルスオキシメータにより調整するステップと、環境コントローラが上記少なくとも１つの環境パラメータを調整することができるかどうかを決定するステップと、上記環境コントローラが上記少なくとも１つの環境パラメータを調整することができる場合、上記少なくとも１つの環境パラメータを調整するステップと、上記生理学的センサデータと上記環境センサデータとを相関させて相関データを得るステップと、上記得られた相関データに基づき、上記少なくとも１つの警告基準を更新するステップとを有する。
【００１６】
本発明はまた、患者の環境における環境パラメータを制御するシステムに関し、このシステムは、第１の通信モジュールと少なくとも１つの生理学的センサとを持つパルスオキシメータと、第２の通信モジュールと少なくとも１つの環境センサとを持つ環境コントローラであって、少なくとも１つの環境システムを制御する、環境コントローラと、少なくとも１つの生理学的センサデータと少なくとも１つの環境センサデータとの間の少なくとも１つの相関データを取得するための第１のソフトウェアと、上記取得された少なくとも１つ相関データに基づき、少なくとも１つの生理学的センサデータを調整するための第２のソフトウェアとを含む少なくとも１つのメモリユニットであって、上記パルスオキシメータ及び上記環境コントローラの少なくとも１つに含まれる、少なくとも１つのメモリユニットとを有する。
【００１７】
生理学的センサは、パルスオキシメトリで使用するための一対の小型発光ダイオード（ＬＥＤ）及び光センサを有する。生理学的センサは好ましくは、患者の少なくとも１つの生理学的パラメータを測定する他の生理学的センサも含む。これらの生理学的パラメータは、例えば、体温、心拍数、血圧、及び皮膚コンダクタンスを含む。生理学的センサは好ましくは、パルスオキシメータに一体化される。別の実施形態では、生理学的センサは、無線センサネットワーク、ボディエリアネットワーク、無線ボディエリアネットワーク、及び身体センサネットワークなどのセンサネットワークに含まれる。更に別の実施形態では、生理学的センサは、患者の体に埋め込まれる生理学的センサである。
【００１８】
図１は、本発明の好ましい方法のフロー図を示す。パルスオキシメータにおける生理学的センサが、生理学的センサデータを取得し（ステップ１０２）、環境センサが、少なくとも１つの環境パラメータに対応する環境センサデータを取得する（ステップ１０４）。環境センサデータが少なくとも１つの警告基準を満たすかどうかを決定する決定が行われる（ステップ１０６）。満たす場合、生理学的センサデータは、少なくとも１つの環境パラメータの影響を補正するよう調整される（ステップ１０８）。次いで、環境コントローラが環境パラメータを調整することができるかどうかを決定する決定が行われる（ステップ１１０）。できる場合、環境パラメータは、少なくとも１つの警告基準に基づき調整される（ステップ１１２）。その後、少なくとも１つの相関データを得るため、生理学的センサデータと環境センサデータとが相関される（ステップ１１４）。次に、得られた少なくとも１つの相関データに基づき、警告基準が更新される（ステップ１１６）。最後に、プロセスは、ステップ１０２に戻り、別の生理学的パラメータが測定される。環境センサデータが少なくとも１つの警告基準を満たさない（ステップ１０６）場合、プロセスは、ステップ１１４にスキップし、少なくとも１つの相関データが取得され、その後、相関データに基づき、警告基準が更新される（ステップ１１６）。
【００１９】
警告基準は、各センサに関する１つ又は複数の条件を示す。警告基準は、生理学的パラメータ又は環境パラメータに関する最小閾値又は最大閾値とすることができる。警告基準は、１つ又は複数のセンサに関する値及び条件の組み合わせであってもよい。例えば、警告基準は、最低温度６５°Ｆ（１８°Ｃ）と最高温度８５°Ｆ（２９°Ｃ）を示すことができる。警告基準は好ましくは、医療従事者、医療機関、又は製造業者により設定される。代替的に、警告基準は患者により設定される。
【００２０】
相関データは好ましくは、２つのデータセット間の関係を決定する単回帰ステップから得られる。Ｒ二乗値は、２つのデータセット間の相関の程度を示す単回帰ステップから決定される。１に近いＲ二乗値は、高い相関度を示し、ゼロに近いＲ二乗値は、そうでないことを示す。２つ以上のデータセットが相関されることもできる。本発明におけるセンサから得られるデータセットの相関を決定するため、他の統計ツールが利用されることもできる。
【００２１】
一実施形態では、少なくとも１つの環境センサにより監視される１つ又は複数の環境パラメータが、環境コントローラにより制御されることができない。通知システムが、環境コントローラに含まれる。これは、環境パラメータが少なくとも１つの警告基準を満たすが、環境コントローラが、環境パラメータを制御することができないことをユーザに通知する。例えば、環境コントローラは、周囲ノイズを測定するマイクロフォンを有する。周囲ノイズが閾値を超えるとき、環境コントローラは、周囲ノイズを変調できないと決定する。なぜなら、例えば、周囲ノイズ源が、動物からのものである、又は患者の直近の環境外の源からのものであるからである。すると患者は、例えば、異なる環境に移動することを推奨されることができる。通知システムは、視覚的通知、触覚的通知、可聴通知、又はそれらの任意の組み合わせを組み込むことができる。通知システムは、外部デバイスと通信し、遠隔の病院の医療従事者といった第三者に警告することもできる。
【００２２】
図２は、パルスオキシメータ２０２と、環境システム２０６及び２０８を制御する環境コントローラ２０４とを有する、本発明の好ましいシステムを示す。パルスオキシメータ２０２は、通信モジュール２１０、プロセッサ２１２、並びに生理学的センサ２１４及び２１６を有する。環境コントローラ２０４は、環境センサ２１８及び２２０、通信モジュール２２２、プロセッサ２２４、並びに及びメモリ２２６を有し、メモリは、ベースソフトウェア２２８、比較ソフトウェア２３０、相関ソフトウェア２３２、センサ調整ソフトウェア２３４、センサデータベース２３６、相関データベース２３８、及び治療データベース２４０を備える。パルスオキシメータ２０２及び環境コントローラ２０４は更に、インターネットに接続することができる。
【００２３】
図３は、本発明の好ましい実施形態によるベースソフトウェア２２８のフロー図を示す。ベースソフトウェア２２８は、環境コントローラの環境センサ及びパルスオキシメータの生理学的センサから得られるセンサデータを最初に収集する（ステップ３０２）。取得されたデータは、センサデータベース２３４に格納される（ステップ３０４）。その後、ベースソフトウェア２２８は、比較ソフトウェア２３０を実行し、センサデータが警告基準を満たしているかどうかが決定される（ステップ３０６）。次いで、相関ソフトウェア２３２が実行され、環境センサ及び生理学的センサから得られたデータセットが相関され、その後、警告基準が更新される。
【００２４】
図４は、センサデータベース２３６の一例を示す。センサデータベースは、１つ又は複数の生理学的センサ及び環境センサから得られたすべてのセンサデータの記録である。センサデータベース２３６は、「日付」カラム４０２、「時間」カラム４０４、「センサ」カラム４０６、「データタイプ」カラム４０８、及び「値」カラム４１０を有することができる。例えば、行４１２は、２０１５年１１月１９日の午前８時５５分にオキシメータから得られたＳｐＯ２読取り値の９８％のエントリを表す。
【００２５】
図５は、本発明の好ましい実施形態によるセンサデータと警告基準とを比較する比較ソフトウェア２３０のフロー図を示す。環境センサが最初に選択される（ステップ５０２）。選択された環境センサのエントリに関して、相関データベース２３８が検索される（ステップ５０４）。エントリが存在する場合、環境センサデータが対応する警告基準を満たすかどうかが決定される（ステップ５０６）。満たす場合、センサ調整ソフトウェア２３４が実行され、環境パラメータにより影響を受ける生理学的センサデータが補正される（ステップ５０８）。次いで、環境コントローラ２０４が環境パラメータを制御することができるかどうかを決定する決定が行われる（ステップ５１０）。できる場合、環境システムは環境パラメータを変更するよう制御される（ステップ５１２）。そうでない場合、通知が生成される（ステップ５１４）。その後、すべての環境センサが選択されたかどうかを決定するための決定が行われる（ステップ５１６）。選択された場合、プロセスは、ベースソフトウェア２２８に戻ることにより終了する。そうでない場合、次の環境センサが選択され（ステップ５２０）、プロセスはステップ５０４にループバックする。
【００２６】
センサ調整ソフトウェア２３４は、環境パラメータの影響に基づき生理学的センサデータを調整する。必要な補正量を決定するのに、ルックアップテーブルが使用されることができる。代替的に、補正モデル又は補正関数が使用されてもよい。例えば、補正関数は線形であってよく、一般的な式「ｙ＝ｍｘ＋ｂ」に従う。ここで、「ｙ」は、補正された生理学的センサデータであり、「ｍ」は、補正係数であり、「ｘ」は、元の生理学的センサデータであり、「ｂ」は、ベースライン補正パラメータである。補正係数は、別の関数であってもよいし、テーブルから得られる値であってもよい。補正関数は、較正ステップ、相関ステップ、又は特定の患者の履歴分析から得られることができる。補正関数はまた、患者集団の統計分析から得られることができる。代替的に、補正関数は、医療関係者、健康ネットワーク、又はパルスオキシメータ及び環境コントローラの製造業者により提供されてもよい。
【００２７】
図６は、相関データベース２３８の一例を示す。相関データベース２３８は、対応する１つ又は複数の警告基準を備えるセンサデータを格納する。相関データベース２３８は、「原因タイプ」カラム６０２の下に環境パラメータ、「効果タイプ」カラム６０４の下に相関される生理パラメータ、「相関係数」カラム６０６の下に相関係数値、及び「原因基準」カラム６０８の下に警告基準を格納する。例えば、相関データベース２３８は、酸素飽和度（ＳｐＯ２）に対するノイズの影響に関する１つ又は複数の項目を含むことができる。行６１０は、ノイズ及びＳｐ０２が、０．９５の相関係数で相関されることができることを示す。「＞８０ｄＢ」の警告基準が設定され、その結果、後続のノイズ測定値が８０ｄＢを超えるとき、例えばノイズレベルが調整されるか、又はアラートが生成される。相関データベース２３４は好ましくは、定期的に更新される。なぜなら、新しいセンサデータが、２つ以上のデータセット間の相関における変化をもたらす可能性があるからである。一実施形態において、相関２３４データベースは、一対の生理学的センサ及び環境センサからのデータセットが分析されるたびに更新される。代替的に、更新は、例えば、１０分、１時間、又は２４時間の間隔で実行される。
【００２８】
図７には、好ましい実施形態による相関ソフトウェア２３２のフロー図が示される。相関ソフトウェア２３２は好ましくは、環境センサと生理学的センサとの全ての可能な組み合わせを相関させる。環境センサと生理学的センサの第１のペアが選択され（ステップ７０２）、相関データを得るため、センサデータセットが相関される（ステップ７０４）。相関データが少なくとも１つの警告基準を超えるかどうかの決定が行われる（ステップ７０６）。超える場合、選択された環境センサにより測定された環境パラメータ、生理学的センサにより測定された生理学的パラメータ、及び相関データが相関データベース２３８に記録される（ステップ７０８）。その後、環境センサと生理学的センサの全ての組み合わせが選択されたかどうかを決定する決定が行われる（ステップ７１０）。選択されている場合、ソフトウェアは終了し、ベースソフトウェア２２８に戻る（ステップ７１２）。そうでない場合、環境センサと生理学的センサの次の組み合わせが選択され（ステップ７１４）、プロセスはステップ７０２に戻る。
【００２９】
本発明の一実施形態において、慢性閉塞性肺疾患（ＣＯＰＤ）に罹患している患者が病院に入院する。ＣＯＰＤは極端な温度により悪化することが知られているため、病室における環境コントローラは、室内の温度を慎重に監視し、患者の症状を悪化させないように室内の暖房換気空調（ＨＶＡＣ）システムを調整する。最初に、０．９５のＲ二乗値が環境コントローラのメモリの相関データベースに格納され、室温と酸素飽和度との間の相関が表される。患者の酸素飽和度を監視するため、パルスオキシメータが患者に取り付けられる。病院の外では、周囲温度は９５°Ｆ（３５°Ｃ）である。例えば、室内温度が９１°Ｆ（３３°Ｃ）に達するとき、環境コントローラは、温度が９０°Ｆ（３２°Ｃ）の温度閾値を超えたと決定する。その後、ＨＶＡＣシステム及び患者の状態に関するアラートが生成され、ナースステーションに送信される。Ｒ二乗値０．９５に基づき、室温の増加の結果として酸素飽和度が低下すること、及び９１°Ｆ（３３°Ｃ）の現在の室温で予測される酸素飽和度レベルが計算されることができることも推測される。次に、室温を８５°Ｆ（２９°Ｃ）のより快適なレベルに調整するため、ＨＶＡＣシステムが作動される。温度が９１°Ｆ（３３°Ｃ）から８５°Ｆ（２９°Ｃ）に下がると、再び酸素飽和度が測定される。最後に、相関データベースを更新するため、センサからのデータが互いに相関される。新たに取得されたパルスオキシメトリーデータセットは、９１°Ｆ（３３°Ｃ）から室温までの温度の関数として再び相関され、新しい相関データセットに基づかれるＲ二乗値は、０．９７であると計算される。相関データベースは、例えば、エントリを削除するため、又は警告基準を変更するために更新されてもよい。
【００３０】
本発明は、治療を受けている患者の不順守又は健康リスクの検出においても有用性を提供する。一実施形態では、比較ソフトウェア２３０は、治療データベース２４０を検索し、治療計画を遵守するために環境パラメータが調整されなければならないかどうかを決定する。図８は、治療計画に関する情報を格納する治療データベース２４０の一例を示す。治療データベースは、治療計画を受けている患者の順守、不順守、及び健康リスクを検出するセンサを格納する。治療データベース２４０は、「センサ」カラム８０２、「マッチファイル」カラム８０４、及び「コンテキスト」カラム８０６を含むことができる。行８０８〜８１４は、患者の治療計画が、呼吸器合併症を緩和するためタバコを避ける（行８０８）、聴力損失を防ぐため大きな騒音を避ける（行８１０）、熱ストロークを防ぐため高温を避ける（行８１２）、足首の損傷を防ぐため過度の動きを避ける（行８１４）ことを含む。
【００３１】
一実施形態では、ＣＯＰＤと診断された患者は、タバコの煙への曝露を避けるために処方される。患者の部屋には、たばこ煙の存在を検出するための煙センサ、喫煙に関連付けられる音を検出するためのマイクロフォン、及び点灯したタバコにより発生した熱を検出するための熱センサが設置される。煙センサ、マイクロフォン、及び熱センサは、環境コントローラにより制御及び監視される。患者又は訪問者がたばこに火をつけるとき、煙センサは煙を感知し、煙の種類を識別する。環境コントローラは、マイク録音を分析し、タバコを点灯させるために使用されるライターの音を検出する。熱センサは、ライター及び光るシガレット先端により生成された熱を検出する。次いで、環境コントローラは、患者が喫煙しているか、又はタバコの煙に曝されていると決定する。その後、環境コントローラは、アラームを生成し、医療従事者に通知を送信し、部屋の換気を改善することができる。
【００３２】
別の実施形態では、パルスオキシメータ２０２は、ベースソフトウェア２２８、比較ソフトウェア２３０、相関ソフトウェア２３２、センサ調整ソフトウェア２３４、センサデータベース２３６、相関データベース２３８、及び治療データベース２４０を備えるメモリ２２６を有する。従って、処理の大部分は、環境コントローラのプロセッサ２２４によってではなく、パルスオキシメータのプロセッサ２１２により実行される。
【００３３】
別の実施形態では、環境コントローラ２０４が警告基準を満たす場合、環境コントローラは、相関データを改善するため、パルスオキシメータ２０２をトリガして、追加の生理学的センサデータを取得することができる。代替的に、生理学的センサデータが警告基準を満たす場合、パルスオキシメータ２０２は、生理学的センサデータにおける顕著な変化の可能な原因を決定するため、環境コントローラ２０４をトリガして、追加の環境センサデータを取得することができる。
【００３４】
他の実施形態では、本発明は、とりわけ、健康状態、症状、身体活動、心理状態、及び感情状態といった患者の状況を決定するために使用されることもできる。メモリ２２６又は遠隔地に格納された患者の状況のデータベースで検索するのに、相関データが使用されることができる。例えば、心拍数及び騒音レベルが０．９５のＲ二乗値と相関されることを患者に関する相関データが示す場合、これは、音に対する感度が高められていることを示す場合があり、これは更に、例えば、聴覚障害、高ストレスレベル、又はパラノイアを示す場合がある。
【００３５】
本発明の様々な実施形態では、通信モジュール２１０及び２２２は、パルスオキシメータ２０２及び環境コントローラ２０４が、互いに又は遠隔デバイス若しくはサーバと通信することを可能にする。パルスオキシメータ２０２及び環境コントローラ２０４は例えば、インターネット、健康ネットワーク、又は製造業者のサーバに接続して、ファームウェア、ドライバ、ソフトウェア、アルゴリズム、プロトコル、及びデータベースを更新し、並びにパルスオキシメータ、環境コントローラ、患者、又はそれらの任意の組み合わせに関するデータをアップロードすることができる。
【００３６】
本発明は、上述した本発明のいくつかの例示的な実施形態に限定されるものではない。当業者であれば想像される他の変形も、本開示の範囲に含まれることが意図される。
【図１】
2018538038.tif 000003
【図２】
2018538038.tif 000004
【図３】
2018538038.tif 000005
【図４】
2018538038.tif 000006
【図５】
2018538038.tif 000007
【図６】
2018538038.tif 000008
【図７】
2018538038.tif 000009
【図８】
2018538038.tif 000010
【国際調査報告】
2018538038.tif 000011
2018538038.tif 000012
2018538038.tif 000013
2018538038.tif 000014